(57)【要約】【課題】面取り部の片折れを抑制することができる包装箱を提供する。【解決手段】  内容物を包装するラップアラウンドケース１であって、天壁１０および底壁１１と、天壁１０等に２本の第１折曲線２０を介して連設されている一対の側壁１２と、２本の第１折曲線２０の間に形成され、２本の第１折曲線２０に沿って折れ曲がることで天壁１０等と側壁とに対して傾斜した姿勢に設けられる面取り部１４と、を備え、２本の第１折曲線２０は、互いに対向して平行に形成されている２本の平行線部２１と、平行線部２１の両端部を除く部分で平行線部２１を除去することで形成された分離領域２１Ａにおいて２本の平行線部２１から２本の平行線部２１の間隔を狭くする方向に向かって互いに接近する凹状に形成されている２本の傾斜線部２２と、を含んでいる。【選択図】図４
2019182464.tif 000002
【特許請求の範囲】
【請求項１】
内容物を包装する包装箱（１）であって、
第１壁（１０，１１）と、
前記第１壁に２本の折曲線（２０）を介して連設されている第２壁（１２）と、
前記２本の折曲線の間に形成され、前記２本の折曲線に沿って折れ曲がることで前記第１壁と前記第２壁とに対して傾斜した姿勢に設けられる面取り部（１４）と、を備え、
前記２本の折曲線は、
互いに対向して平行に形成されている２本の平行線部（２１）と、
前記平行線部の両端部を除く部分で前記平行線部を除去することで形成された分離領域（２１Ａ）において前記２本の平行線部から前記２本の平行線部の間隔を狭くする方向に向かって互いに接近する凹状に形成されている２本の傾斜線部（２２）と、を含んでいることを特徴とする包装箱。
【請求項２】
内容物を包装する包装箱（１）であって、
第１壁（１０，１１）と、
前記第１壁に２本の折曲線（２０）を介して連設されている第２壁（１２）と、
前記２本の折曲線の間に形成され、前記２本の折曲線に沿って折れ曲がることで前記第１壁と前記第２壁とに対して傾斜した姿勢に設けられる面取り部（１４）と、を備え、
前記２本の折曲線は、
互いに対向して平行に形成されている２本の平行線部（２１）と、
前記平行線部の両端部を除く部分で前記平行線部を除去することで形成された分離領域（２１Ａ）において前記２本の平行線部の端部から前記平行線部と平行な方向に向かって互いに接近する凸状に形成されている２本の傾斜線部（２４）と、を含んでいることを特徴とする包装箱。
【請求項３】
前記２本の傾斜線部（２４）の突端部は、互いに離間しており、
前記２本の傾斜線部の突端部の間には、前記平行線部と平行に延びた直線部（３５）が形成されていることを特徴とする請求項２に記載の包装箱。
【請求項４】
内容物を包装する包装箱（１）であって、
第１壁（１０，１１）と、
前記第１壁に２本の折曲線（２０）を介して連設されている第２壁（１２）と、
前記２本の折曲線の間に形成され、前記２本の折曲線に沿って折れ曲がることで前記第１壁と前記第２壁とに対して傾斜した姿勢に設けられる面取り部（１４）と、を備え、
前記２本の折曲線は、
互いに対向して平行に形成されている２本の平行線部（２１）と、
前記平行線部の両端部を除く部分で前記平行線部を除去することで形成された分離領域（２１Ａ）において一方の前記平行線部から他方の前記平行線部に向かって互いに異なる向きに斜めに延びて交差した状態に形成されている２本の傾斜線部（２５）と、を含んでいることを特徴とする包装箱。
【請求項５】
前記平行線部には、複数の前記分離領域が形成されており、
前記２本の傾斜線部は、各々の前記分離領域に形成されていることを特徴とする請求項１ないし４のいずれかに記載の包装箱。
【請求項６】
前記第１壁は、前記包装箱の天面と底面のうち少なくとも一方を構成し、
前記第２壁は、前記包装箱の側面を構成し、
前記面取り部は、前記天面と前記底面のうち少なくとも一方と前記側面との間に設けられることを特徴とする請求項１ないし５のいずれかに記載の包装箱。
【発明の詳細な説明】
【技術分野】
【０００１】
本発明は、包装箱に関する。
【背景技術】
【０００２】
内容物を包装する包装箱が知られている。
【０００３】
図１３に示すように、特許文献１に記載の飲料の包装箱１００は、互いに上下対向する天面１０１および地面１０２と、これらを繋ぐ一対の長さ方向側面１０３と、側面１０３と天面１０１または地面１０２の境界部分に２本の罫線１０５を挟んで傾斜した平面からなる２つまたは４つの面取り部１０４と、を備えている。この包装箱１００は、段ボールシート製であり、缶入り飲料を巻き込み封緘するラップラウンドケースである。この包装箱１００では傾斜した面取り部１０４を有しているため、段積みしたときの積上げ荷重で胴膨れする側面１０３が、平面形状を保ちながら水平方向にスライドし、側面１０３の変化量を目立たせないようにしていた。また、この包装箱１００では２つまたは４つの面取り部１０４を設けて断面を六角形または八角形にすることで、面取り部１０４を設けない場合に比べて、段ボールシートの使用面積を少なくすることができていた。
【先行技術文献】
【特許文献】
【０００４】
【特許文献１】特許第５０９７３４４号公報
【発明の概要】
【発明が解決しようとする課題】
【０００５】
しかしながら、この包装箱１００では、図１４に示すように、製函時に面取り部１０４が２本の罫線１０５のうち一方のみで折れ、他方で折れないという所謂「片折れ」という現象が起きることがあった。この片折れが発生すると、包装箱１００の製函を適切に行うことができないという問題があった。
【０００６】
本発明は、上記課題を解決するために、面取り部の片折れを抑制することができる包装箱を提供する。
【課題を解決するための手段】
【０００７】
上記した目的を達成するため、本発明は、内容物を包装する包装箱であって、第１壁と、前記第１壁に２本の折曲線を介して連設されている第２壁と、前記２本の折曲線の間に形成され、前記２本の折曲線に沿って折れ曲がることで前記第１壁と前記第２壁とに対して傾斜した姿勢に設けられる面取り部と、を備え、前記２本の折曲線は、互いに対向して平行に形成されている２本の平行線部と、前記平行線部の両端部を除く部分で前記平行線部を除去することで形成された分離領域において前記２本の平行線部から前記２本の平行線部の間隔を狭くする方向に向かって互いに接近する凹状に形成されている２本の傾斜線部と、を含んでいる。
【０００８】
また、上記した目的を達成するため、本発明は、内容物を包装する包装箱であって、第１壁と、前記第１壁に２本の折曲線を介して連設されている第２壁と、前記２本の折曲線の間に形成され、前記２本の折曲線に沿って折れ曲がることで前記第１壁と前記第２壁とに対して傾斜した姿勢に設けられる面取り部と、を備え、前記２本の折曲線は、互いに対向して平行に形成されている２本の平行線部と、前記平行線部の両端部を除く部分で前記平行線部を除去することで形成された分離領域において前記２本の平行線部の端部から前記平行線部と平行な方向に向かって互いに接近する凸状に形成されている２本の傾斜線部と、を含んでいる。
【０００９】
この場合、前記２本の傾斜線部の突端部は、互いに離間しており、前記２本の傾斜線部の突端部の間には、前記平行線部と平行に延びた直線部が形成されていることが好ましい。
【００１０】
また、上記した目的を達成するため、本発明は、内容物を包装する包装箱であって、第１壁と、前記第１壁に２本の折曲線を介して連設されている第２壁と、前記２本の折曲線の間に形成され、前記２本の折曲線に沿って折れ曲がることで前記第１壁と前記第２壁とに対して傾斜した姿勢に設けられる面取り部と、を備え、前記２本の折曲線は、互いに対向して平行に形成されている２本の平行線部と、前記平行線部の両端部を除く部分で前記平行線部を除去することで形成された分離領域において一方の前記平行線部から他方の前記平行線部に向かって互いに異なる向きに斜めに延びて交差した状態に形成されている２本の傾斜線部と、を含んでいる。
【００１１】
この場合、前記平行線部には、複数の前記分離領域が形成されており、前記２本の傾斜線部は、各々の前記分離領域に形成されていることが好ましい。
【００１２】
この場合、前記第１壁は、前記包装箱の天面と底面のうち少なくとも一方を構成し、前記第２壁は、前記包装箱の側面を構成し、前記面取り部は、前記天面と前記底面のうち少なくとも一方と前記側面との間に設けられることが好ましい。
【発明の効果】
【００１３】
本発明によれば、包装箱の製函時における面取り部の片折れを抑制することができる。
【図面の簡単な説明】
【００１４】
【図１】本発明の一実施形態に係るラップアラウンドケースを示す斜視図である。
【図２】本発明の一実施形態に係るラップアラウンドケースを示す断面図である。
【図３】本発明の一実施形態に係るラップアラウンドケースのブランクを示す平面図である。
【図４】本発明の一実施形態に係るラップアラウンドケースのブランクの一部を拡大して示す平面図である。
【図５】本発明の一実施形態に係るラップアラウンドケースの面取り部（２本の第１折曲線）の一部を拡大して示す斜視図である。
【図６】本発明の一実施形態の第１変形例に係るラップアラウンドケースのブランクの一部を拡大して示す平面図である。
【図７】本発明の一実施形態の第２変形例に係るラップアラウンドケースのブランクの一部を拡大して示す平面図である。
【図８】本発明の一実施形態の第３変形例に係るラップアラウンドケースのブランクの一部を拡大して示す平面図である。
【図９】本発明の一実施形態の第４変形例に係るラップアラウンドケースのブランクの一部を拡大して示す平面図である。
【図１０】本発明の一実施形態の他の変形例に係るラップアラウンドケースのブランクの一部を拡大して示す平面図である。
【図１１】本発明の一実施形態の他の変形例（１つの分離領域）に係るラップアラウンドケースのブランクの一部を拡大して示す平面図である。
【図１２】本発明の一実施形態の他の変形例（３つの分離領域）に係るラップアラウンドケースのブランクの一部を拡大して示す平面図である。
【図１３】従来のラップアラウンドケースを示す斜視図である。
【図１４】従来のラップアラウンドケースの製函時の片折れを説明する断面図である。
【発明を実施するための形態】
【００１５】
以下、添付の図面を参照しつつ、本発明の実施形態について説明する。なお、各図に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。また、本明細書では方向や位置を示す用語を用いるが、それらの用語は説明の便宜のために用いるものであって、本発明の技術的範囲を限定するものではない。
【００１６】
図１ないし図４を参照して、包装箱の一例としてのラップアラウンドケース１について説明する。図１はラップアラウンドケース１を示す斜視図である。図２はラップアラウンドケース１を示す断面図である。図３はラップアラウンドケース１のブランク５を示す平面図である。図４はブランク５の一部を拡大して示す平面図である。
【００１７】
［ラップアラウンドケースの概要］
図１に示すように、ラップアラウンドケース１は、左右方向に長い略直方体状に形成されている。詳細には、図１および図２に示すように、ラップアラウンドケース１の上下両側の稜線部がテーパー状に形成されている。図２に示すように、ラップアラウンドケース１は、飲料入りの缶Ｃ（内容物）を巻き込むように包装し、左右両端面を閉じることで封緘される箱である。なお、缶Ｃの上部と下部とはテーパー状に形成されている。また、ラップアラウンドケース１に包装される内容物は缶Ｃに限らず、例えば、ビンやペットボトル等であってもよい。
【００１８】
ラップアラウンドケース１は、図３に示すブランク５を組み立てることで形成される。ブランク５は、例えば、一枚の紙製の段ボールシートを抜型等で打ち抜いて形成されている。段ボールシートは、例えば、波状の中しん９Ａの表裏に表ライナ９Ｂと裏ライナ９Ｃ（図２参照）とを貼り合せた両面段ボールシートである。なお、図３は、表ライナ９Ｂ側（ラップアラウンドケース１の外側）を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００１９】
［ブランク］
図３に示すように、ブランク５は、天壁１０（第１壁）と、底壁１１（第１壁）と、一対の側壁１２（第２壁）と、継代片１３と、４つの面取り部１４と、４つの内フラップ１５と、４つの外フラップ１６と、を含んでいる。
【００２０】
＜天壁、底壁、側壁、継代片、面取り部＞
天壁１０、一方の側壁１２、底壁１１、他方の側壁１２および継代片１３は、この順番で段方向に一列に並べられ、４つの面取り部１４を挟んで連設されている。これらの壁等１０〜１４の境界には、第１折曲線２０が形成されている。詳細には、一方の側壁１２は、天壁１０に２本の第１折曲線２０を介して連設され、且つ底壁１１に２本の第１折曲線２０を介して連設されている。他方の側壁１２は、底壁１１に２本の第１折曲線２０を介して連設され、且つ継代片１３に２本の第１折曲線２０を介して連設されている。また、各々の面取り部１４は、２本の第１折曲線２０の間に形成されている。
【００２１】
天壁１０、底壁１１、側壁１２、継代片１３および面取り部１４は、流れ方向に略同一寸法となる略長方形状に形成されている。天壁１０および底壁１１は、流れ方向に長い略長方形状に形成されている。一対の側壁１２は、天壁１０よりも段方向に短い略長方形状に形成されている。継代片１３は、側壁１２よりも段方向に短い略長方形状に形成されている。４つの面取り部１４は、継代片１３よりも段方向に短い略長方形状に形成されている。
【００２２】
＜内フラップ＞
４つの内フラップ１５は、一対の側壁１２の流れ方向両端部に第２折曲線３０を介して連設されている。内フラップ１５は、側壁１２の段方向に略同一寸法となる略長方形状に形成されている。内フラップ１５の流れ方向の寸法（延出寸法）は、側壁１２の段方向の寸法の半分程度に設定されている。内フラップ１５の根本部分（第２折曲線３０の近傍）には、略三角形状の突出部１５Ａが段方向両外側に突き出している。
【００２３】
＜外フラップ＞
４つの外フラップ１６は、天壁１０と底壁１１との流れ方向両端部に第２折曲線３０を介して連設されている。外フラップ１６は、天壁１０等の段方向に略同一寸法となる略長方形状に形成されている。外フラップ１６の流れ方向の寸法（延出寸法）は、内フラップ１５の延出寸法と同一に設定されている。
【００２４】
一対の側壁１２の裏ライナ９Ｃには、開封用のカットテープ１７が流れ方向に沿って貼付されている。カットテープ１７は、側壁１２から両側の内フラップ１５まで延びている。各側壁１２の流れ方向略中央部には、一対の摘み部１８が切り込まれている。一対の摘み部１８は、カットテープ１７を分断する切目と、カットテープ１７を挟んで平行な切目とによって略Ｈ字状に形成されている。なお、側壁１２等には、カットテープ１７に代えて、裏ライナ９Ｃを直線状に切断したライナーカット等が形成されてもよい。
【００２５】
なお、第１折曲線２０および第２折曲線３０は、段ボールシートを裏ライナ９Ｃ側から厚み方向に直線状に潰した汎用罫線である。第１および第２折曲線２０，３０は、裏ライナ９Ｃを内側に向けるように段ボールシートを折曲させる機能を有している。なお、第１および第２折曲線２０，３０は、汎用罫線に限らず、汎用罫線上に複数の切目を所定間隔に並べたリード罫線等、段ボールシートを折り曲げるための線であれば如何なるものでもよい。
【００２６】
＜第１折曲線＞
ここで、図４を参照して、２本の第１折曲線２０について詳細に説明する。図４はブランク５の一部を拡大して示す平面図である。なお、このラップアラウンドケース１のブランク５には、２本の第１折曲線２０が４組形成されているが、４組ある２本の第１折曲線２０は同一形状であるため、以下では、１組の２本の第１折曲線２０について説明する。
【００２７】
２本の第１折曲線２０は、２本の平行線部２１と、２組の２本の傾斜線部２２と、を含んでいる。
【００２８】
（平行線部）
２本の平行線部２１は、互いに対向して平行に形成されている。２本の平行線部２１は、流れ方向の両端部と中間部とに形成されている。平行線部２１の両端部を除く部分には、平行線部２１を除去することで２つの分離領域２１Ａが形成されている（図３参照）。詳細には、２つの分離領域２１Ａは、流れ方向両端部に形成された各平行線部２１と、流れ方向中間部に形成された各平行線部２１との間において平行線部２１が形成されていない領域である。
【００２９】
（傾斜線部）
２本の傾斜線部２２は、各々の分離領域２１Ａに形成されている（図３参照）。なお、２組ある２本の傾斜線部２２は同一形状であるため、以下では、１つの分離領域２１Ａに形成された２本の傾斜線部２２について説明する。
【００３０】
２本の傾斜線部２２は、分離領域２１Ａにおいて２本の平行線部２１から２本の平行線部２１の間隔を狭くする方向に向かって互いに接近する凹状に形成されている。詳細には、各々の傾斜線部２２は、分離領域２１Ａを挟んで流れ方向に対向した平行線部２１の両端から面取り部１４に入り込むように略Ｖ字状に形成されている。２本の傾斜線部２２は段方向に対称となるように形成されており、２本の傾斜線部２２の最接近部（Ｖ字の突端部）は僅かな隙間を挟んで対向している。なお、２本の傾斜線部２２のＶ字の突端部は互いに接触していてもよい。
【００３１】
面取り部１４には、分離領域２１Ａを区切るように段方向に延びた２本の補助折曲線２３が形成されている。２本の補助折曲線２３は、面取り部１４を横断して２本の傾斜線部２２の流れ方向両端部に接続された汎用罫線である。なお、補助折曲線２３は、汎用罫線に限らず、裏ライナ９Ｃ側から段ボールシートの厚みの半分程度を切断したハーフカット等であってもよい。また、補助折曲線２３は省略されていてもよい。
【００３２】
［ラップアラウンドケースの製函］
次に、図１、図２および図５を参照して、ラップアラウンドケース１の製函工程（封緘工程）について説明する。図５は面取り部１４（２本の第１折曲線２０）の一部を拡大して示す斜視図である。
【００３３】
ラップアラウンドケース１は、裏ライナ９Ｃを上方に向けたブランク５を適宜折り曲げることで組み立てられる。ラップアラウンドケース１は、ユーザによって手作業で製函されてもよいし、包装装置（ラップアラウンドケーサー）によって全自動または半自動で製函されてもよい。ここでは、一例として、包装装置（図示せず）が全自動でラップアラウンドケース１を製函する場合について説明する。
【００３４】
包装装置は、底壁１１と継代片１３との間の側壁１２を２本の第１折曲線２０に沿って略直角に折り曲げ、集積された複数の缶Ｃを底壁１１に載置する。ここで、図５に示すように、底壁１１および側壁１２を２本の第１折曲線２０に沿って折り曲げると、面取り部１４は、２本の傾斜線部２２に沿って山折りされ、且つ２本の補助折曲線２３に沿って谷折れされる。面取り部１４は２本の傾斜線部２２の最接近部を中心として外側に突き出すように２本の傾斜線部２２に沿って折れ始め、その２本の傾斜線部２２を折り曲げる力が２本の平行線部２１に略均一に伝播する。すると、底壁１１および側壁１２は２本の第１折曲線２０に沿って略均一な角度で折れ曲がることになる。このように、面取り部１４は、片折れすることなく、２本の第１折曲線２０に沿って折れ曲がることで底壁１１と側壁１２とに対して傾斜した姿勢に設けられる。
【００３５】
続いて、包装装置は、継代片１３を２本の第１折曲線２０に沿って略直角に折り曲げ、継代片１３の表面に接着剤を付着させる。面取り部１４は、上記と同様の作用によって、側壁１２と継代片１３に対して傾斜した姿勢に設けられる（図２参照）。次に、包装装置は、もう一方の側壁１２および天壁１０を２本の第１折曲線２０に沿って略直角に折り曲げる。すると、天壁１０は、接着剤を介して継代片１３に接着される（図２参照）。上下２つの面取り部１４は、上記と同様の作用によって、上下に対向する各壁１０，１１と側壁１２とに対して傾斜した姿勢に設けられる（図２参照）。
【００３６】
以上によって、図２に示すように、複数の缶Ｃは周壁にタイトに包み込まれた状態になる。周壁の四角部分を構成する４つの面取り部１４は、缶Ｃの上部と下部とに形成されたテーパー部分に密着する。なお、接着剤として、例えば、ホットメルト接着剤、合成樹脂系エマルジョン接着剤または両面テープ等を用いることができる。
【００３７】
次に、包装装置は、４つの内フラップ１５を第２折曲線３０に沿って内側に折り曲げ、各内フラップ１５の表面に接着剤を付着させる。その後、包装装置は、４つの外フラップ１６を第２折曲線３０に沿って内側に折り曲げる。すると、各外フラップ１６は、内フラップ１５に重ねられた状態で接着剤を介して接着される（図１参照）。なお、内フラップ１５の突出部１５Ａは、面取り部１４の端面を覆うように配置される（図１参照）。
【００３８】
以上によって、ラップアラウンドケース１が製函（封緘）された状態になる（図１参照）。なお、このラップアラウンドケース１を開封する場合、ユーザは、外側に引き起こした摘み部１８を把持し、これを左右両側に引っ張る。すると、各側壁１２等はカットテープ１７によって引き裂かれ、ラップアラウンドケース１は上下に分割（開封）される。
【００３９】
以上説明した本実施形態に係るラップアラウンドケース１では、２本の平行線部２１が各分離領域２１Ａの左右両側に形成され、各分離領域２１Ａにて２本の傾斜線部２２がＶ字状に折れ曲がった状態で背中合わせに（Ｖ字状の先端を突き合せるように）形成されていた。この構成によれば、面取り部１４を２本の傾斜線部２２で折り曲げる力を２本の平行線部２１に略均一に伝えることができる。これにより、天壁１０および底壁１１を２本の第１折曲線２０に沿って略均一な角度で折り曲げることができ、ラップアラウンドケース１の製函時における面取り部１４の片折れを抑制することができる。
【００４０】
また、複数のラップアラウンドケース１を積み重ねた場合に、下方のラップアラウンドケース１に圧縮荷重が作用すると、面取り部１４の角度が変化して高さ方向の変形が吸収される。これにより、側壁１２が外側に膨らむ胴膨れや、側壁１２の座屈等を抑制することができる。
【００４１】
また、本実施形態に係るラップアラウンドケース１によれば、面取り部１４が缶Ｃの上下両側のテーパー部分に沿うように配置されるため、面取り部１４を設けない場合に比べて、ブランク５に製造に必要な段ボールシートの面積を少なくすることができる。
【００４２】
また、本実施形態に係るラップアラウンドケース１によれば、２つの分離領域２１Ａに２本の傾斜線部２２が２組形成されているため、各々の傾斜線部２２を折り曲げる力を、より均一に２本の平行線部２１に伝えることができる。これにより、ラップアラウンドケース１の製函時における面取り部１４の片折れ抑制効果を向上させることができる。
【００４３】
［変形例］
なお、以上説明したラップアラウンドケース１では、２本の傾斜線部２２が２本の平行線部２１から互いに接近するようにＶ字状に屈曲していたが、本発明はこれに限定されない。
【００４４】
＜第１変形例＞
例えば、図６に示すように、第１変形例に係るラップアラウンドケース１（ブランク５）として、第１折曲線２０の２本の傾斜線部２２の突端部が、平行線部と平行に延びた直線状に形成されていてもよい。つまり、各々の傾斜線部２２は、略Ｕ字状または略台形状に形成されていてもよい。
【００４５】
＜第２変形例＞
また、例えば、図７に示すように、第２変形例に係るラップアラウンドケース１（ブランク５）として、第１折曲線２０の２本の傾斜線部２４が、分離領域２１Ａにおいて２本の平行線部２１の端部から平行線部２１と平行な方向に向かって互いに接近する凸状に形成されていてもよい。詳細には、各々の傾斜線部２４は、分離領域２１Ａを挟んで流れ方向に対向した２本の平行線部２１の端部から分離領域２１Ａの中央に向かって突き出した略Ｖ字状（略三角形状）に形成されている。２本の傾斜線部２４は流れ方向に対称となるように形成されており、２本の傾斜線部２４の最接近部（Ｖ字の突端部）は僅かな隙間を挟んで対向している。なお、２本の傾斜線部２４のＶ字の突端部は互いに接触していてもよい。
【００４６】
＜第３変形例＞
また、例えば、図８に示すように、第３変形例に係るラップアラウンドケース１（ブランク５）として、２本の傾斜線部２４の突端部を互いに離間させ、２本の傾斜線部２４の突端部の間に平行線部２１と平行に延びた直線部３５（汎用罫線等）が形成されていてもよい。
【００４７】
＜第４変形例＞
また、図９に示すように、第４変形例に係るラップアラウンドケース１（ブランク５）として、第１折曲線２０の２本の傾斜線部２５が、分離領域２１Ａにおいて一方の平行線部２１から他方の平行線部２１に向かって互いに異なる向きに斜めに延びて交差した状態に形成されている。詳細には、各々の傾斜線部２５は、分離領域２１Ａにて、対角に位置する２本の平行線部２１の端部間を結ぶように略Ｘ字状に形成されている。
【００４８】
以上説明した第１〜第４変形例に係るラップアラウンドケース１（傾斜線部２２，２４，２５）によれば、製函時の面取り部１４の片折れや側壁１２の胴膨れの抑制、段ボールシートの使用面積の減少等の作用、効果を得ることができる。
【００４９】
なお、本実施形態（第１変形例を含む。）に係るラップアラウンドケース１では、各傾斜線部２２が直線状に形成されていたが、本発明はこれに限定されない。図１０に示すように、各傾斜線部２２が湾曲していてもよい。また、これと同様に、傾斜線部２４，２５が湾曲していてもよい（図示せず）。
【００５０】
また、本実施形態（第１〜第４変形例を含む。以下同じ。）に係るラップアラウンドケース１では、１つの面取り部１４に、分離領域２１Ａが２箇所形成され、且つ２本の傾斜線部２２，２４，２５（以下、「傾斜線部２２等」という。）が２組形成されていたが、本発明はこれに限定されない。例えば、図１１に示すように、１つの面取り部１４毎に、１つの分離領域２１Ａが形成され、且つ２本の傾斜線部２２等が１組形成されていてもよい。また、例えば、図１２に示すように、１つの面取り部１４毎に、３つ（または３つ以上）分離領域２１Ａが形成され、且つ２本の傾斜線部２２等が３組（または３組以上）形成されていてもよい。
【００５１】
また、本実施形態に係るラップアラウンドケース１では、４つの面取り部１４が、一対の側壁１２の上部（天壁１０の側）と一対の側壁１２の下部（底壁１１の側）とに設けられていたが、本発明はこれに限定されない。例えば、一対の面取り部１４が、天壁１０の側にのみ設けられていてもよいし、底壁１１の側にのみ設けられていてもよい。すなわち、面取り部１４は、天壁１０と底壁１１のうち少なくとも一方と一対の側壁１２との間に設けられていればよい。
【００５２】
また、本実施形態では、包装箱の一例としてラップアラウンドケース１に本発明（面取り部１４、２本の第１折曲線２０）を適用した場合について説明したが、これに限らず、例えば、所謂Ａ式の包装箱（図示せず）に本発明を適用してもよい。Ａ式の包装箱の場合、４つの側壁（第２壁）と４つの上フラップ（第１壁）（または／および４つの下フラップ（第１壁））との間に２本の第１折曲線２０を挟んで面取り部１４を設けることが好ましい。すなわち、第１壁が包装箱の天面と底面のうち少なくとも一方を構成し、第２壁が包装箱の側面を構成し、面取り部が天面と底面のうち少なくとも一方と側面との間に設けられていればよい。
【００５３】
また、本実施形態に係るラップアラウンドケース１は、紙製の両面段ボールシートで形成されていたが、本発明はこれに限定されない。例えば、段ボールシートは、中しん９Ａの片面にライナを貼り付けた片面段ボールシートであってもよいし、片面段ボールシートを両面段ボールシートに貼り合せた複両面段ボールシートであってもよい。また、例えば、ラップアラウンドケース１は、紙製の段ボールシートに代えて、厚紙や樹脂製の板等で形成されていてもよい。
【００５４】
なお、上記実施形態の説明は、本発明に係る包装箱における一態様を示すものであって、本発明の技術範囲は、上記実施形態に限定されるものではない。
【符号の説明】
【００５５】
１      ラップアラウンドケース（包装箱）
１０    天壁（第１壁）
１１    底壁（第１壁）
１２    側壁（第２壁）
１４    面取り部
２０    第１折曲線（折曲線）
２１    平行線部
２１Ａ  分離領域
２２，２４，２５  傾斜線部
３５    直線部
Ｃ      缶（内容物）
【図１】
2019182464.tif 000003
【図２】
2019182464.tif 000004
【図３】
2019182464.tif 000005
【図４】
2019182464.tif 000006
【図５】
2019182464.tif 000007
【図６】
2019182464.tif 000008
【図７】
2019182464.tif 000009
【図８】
2019182464.tif 000010
【図９】
2019182464.tif 000011
【図１０】
2019182464.tif 000012
【図１１】
2019182464.tif 000013
【図１２】
2019182464.tif 000014
【図１３】
2019182464.tif 000015
【図１４】
2019182464.tif 000016